(57)【要約】【課題】トリガの操作性を向上させ、ガイド部２０とトリガ１７が摩耗しても確実にスイッチをオンさせる。【解決手段】合成樹脂製の工具本体のグリップの基部に合成樹脂製の起動用トリガ１７をガイドするガイド部２０を設け、ガイド部の一端にトリガスイッチ２１を設けたトリガ機構において、トリガ１７を、トリガスイッチ２１に対向配置されたトリガレバー２２と指掛け用のトリガ本体２３とに分割形成し、トリガレバーとトリガ本体とを並列状態に配置するとともに、トリガ本体のストローク量をトリガレバーのそれよりも大きくし、かつトリガ本体とトリガレバーとを連結バネ３６を介して連結することにより、トリガレバーをトリガ本体の引き作動に連動させる。【選択図】図３
2007083361.tif 000002
【特許請求の範囲】
【請求項１】
合成樹脂製の工具本体のグリップの基部に合成樹脂製の起動用トリガを摺動自在にガイドするガイド部を設け、このガイド部の一端に、上記トリガを一方向に引き作動することにより押圧可能なトリガスイッチを設けた打込み工具のトリガ機構において、
上記トリガを、上記トリガスイッチに対向配置されたトリガレバーと指掛け用のトリガ本体とに分割形成し、上記トリガレバーとトリガ本体とを並列状態に配置するとともに、
上記トリガ本体のストローク量をトリガレバーのストローク量よりも大きくし、かつ上記トリガ本体とトリガレバーとを連結バネを介して連結することにより、上記トリガレバーをトリガ本体の引き作動に連動させる
ことを特徴とする打込み工具のトリガ機構。
【発明の詳細な説明】
【技術分野】
【０００１】
本発明は、工具本体のグリップの基部に設けられたガイド部に起動用トリガを摺動自在にガイドさせる打込み工具において、上記トリガを確実にスイッチオン作動させる打込み工具のトリガ機構に関するものである。
【背景技術】
【０００２】
打ち込み工具の一例としてガス燃焼式釘打機が知られている。これは、工具本体内に密閉された燃焼室内へ可燃性ガスを注入して燃焼室内で可燃性ガスと空気との混合ガスを撹拌し、撹拌された混合ガスを燃焼室内で燃焼させることによって燃焼室内に高圧の燃焼ガスを発生させ、この高圧の燃焼ガスを打撃シリンダ内に収容されている打撃ピストンに作用させて打撃ピストンを打撃シリンダ内で衝撃的に駆動させ、この打撃ピストンの下面側に結合されているドライバによって、ボディの下方のノーズ部に供給された釘を鋼板やコンクリートへ打ち込むようにしたものである。
【０００３】
上記工具本体は合成樹脂製で、グリップの基部には上記燃焼室に充満した混合ガスにスパークを発生させて点火させるトリガスイッチが設けられている。そして、工具本体にはガイド部が形成され、このガイド部にトリガスイッチをオンさせるためのトリガが摺動自在に収納されている。トリガを引き作動して直線状に作動させることにより、トリガスイッチを押し込んでオンさせるようになっている。打ち込み作動後、上記燃焼室は開放される。
【０００４】
上記トリガは合成樹脂部品で、その一側には、燃焼室の密閉、開放とともに作動するＪ字状のトリガレバーが一体的に形成されている。トリガレバーは合成樹脂製の工具本体内に収納され、それ以外の本体部分は外に露出している。そして、トリガは一方向に作動してトリガスイッチに対し当接離反可能に設けられ、工具本体に形成されたガイド部にガイドされている。
【０００５】
ところが、トリガスイッチをフォトスイッチで構成する場合は、スイッチオンのタイミングは自由に設計することができるが、高価である。これに対し、マイクロスイッチで構成する場合は、安価であるが、作業者がトリガを最後まで引ききらなければスイッチがオンしない構造にせざるを得ない。マイクロスイッチにおいて直接に押し込まれ、復帰するスイッチング部分のストロークが小さいので、トリガのストロークの途中にマイクロスイッチを配置すると、スイッチング部分を押し込み過ぎて破損させてしまうおそれがあるからである。
【０００６】
また、トリガは上述のように非対称な形になっている。また、ガイド部の内側面とトリガの外側面との間にはわずかながらクリアランスがある。したがって、トリガに指を掛けて引いたとき、指を掛けたトリガ本体には直接に力が加わるが、分割されたトリガレバーには後述のようにカムプレートを回動させるための荷重が加わる。このため、トリガ全体に回動するようなモーメントが働き、引き作動時にガイド部の内側面とトリガの外側面との間に摩擦が発生する。ガイド部もトリガも合成樹脂製であり、摩耗には比較的弱いので、繰り返しスイッチのオンオフ操作を繰り返すうち徐々に摩耗が大きくなっていく。特に、コンクリートに釘を打ち込むような打込み工具の場合には、穿孔されたときのコンクリートの屑が飛散して工具に付着し、ガイド部とトリガとの摩耗をさらに促進させる。ガイド部の摩耗がひどくなると、ガイド性能が劣化するため、トリガが回動して傾いてしまい、トリガをストロークエンドまで引き切ることができず、スイッチング不良が生じるという問題がある。
【特許文献１】特開２００５−２２０６９公報
【発明の開示】
【発明が解決しようとする課題】
【０００７】
上述のように、この種のトリガ機構においては、トリガを最後まで引ききらないとスイッチがオンしないので、操作感がよくないという問題と、摩耗が進むと、トリガを引いたときのガタも大きいので、ストロークエンドまで引ききってもスイッチがオンしない現象が発生するという問題があった。
【０００８】
本発明は前記欠点を解消し、マイクロスイッチを使用した場合でも、操作性を向上することができるとともに、ガイド部が摩耗しても確実にスイッチをオンさせることができる打込み工具のトリガ機構を提供することをその課題とする。
【課題を解決するための手段】
【０００９】
前記課題を解決するため、請求項１に係る発明は、合成樹脂製の工具本体のグリップの基部に合成樹脂製の起動用トリガを摺動自在にガイドするガイド部を設け、このガイド部の一端に、上記トリガを一方向に引き作動することにより押圧可能なトリガスイッチを設けた打込み工具のトリガ機構において、上記トリガを、上記トリガスイッチに対向配置されたトリガレバーと指掛け用のトリガ本体とに分割形成し、上記トリガレバーとトリガ本体とを並列状態に配置するとともに、上記トリガ本体のストローク量をトリガレバーのストローク量よりも大きくし、かつ上記トリガ本体とトリガレバーとを連結バネを介して連結することにより、上記トリガレバーをトリガ本体の引き作動に連動させることを特徴とする。
【発明の効果】
【００１０】
請求項１に係る発明によれば、釘打ち込みにあたり、トリガ本体に指を掛けて引き作動すると、連結バネがトリガレバーを連動させるので、全体としてトリガは一体に移動する。そして、トリガレバーのストローク量はトリガ本体のストローク量よりも小さいから、トリガ本体の移動途中で、上記トリガレバーがトリガスイッチを押してスイッチオンさせる。このように、トリガ本体をストロークエンドまで引き切る前にトリガスイッチがオン作動させることができるから、マイクロスイッチを使用した場合でも操作感がよくなり、操作性を向上させることができる。
【００１１】
また、トリガ本体とトリガレバーとは別体構成であり、トリガレバーのストローク量はトリガ本体のストローク量よりも小さく、またトリガレバーとトリガ本体とはバネによって連結されているから、トリガ本体が傾くようなことがあっても、トリガ本体のストローク量は長く、また連結バネがトリガレバーを作動させるから、トリガ本体を引き切ることにより、トリガレバーは確実にトリガスイッチをオン作動させることができる。
【発明を実施するための最良の形態】
【００１２】
図１において符号１はガス燃焼式打込み工具（釘打機）の工具本体を示す。この工具本体１は合成樹脂製で、グリップ２とマガジン３とが連設されているとともに、内部には打撃ピストン・シリンダ機構４と燃焼室５とが設けられている。
【００１３】
打撃ピストン・シリンダ機構４は、打撃シリンダ６内に打撃ピストン７を摺動自在に収容するとともに、打撃ピストン７の下方にドライバ８を一体的に結合させたものである。
【００１４】
燃焼室５は、上記打撃ピストン７の上端面と打撃シリンダ６と上部ハウジング９の内部に形成された上部壁（シリンダヘッド）１０との間に配置されている環状の可動スリーブ１１とによって形成されている。
【００１５】
可動スリーブ１１はリンク部材１２を介してコンタクトアーム１３と連係している。コンタクトアーム１３は工具本体１の下方に設けられた釘打ち出し用ノーズ部１５に沿って摺動自在に配置され、先端がノーズ部から突出し、常時突出するようにバネ付勢され、上端はリンク部材１２と連続的に取付けられている。
【００１６】
なお、上記リンク部材１２と一体にロックアウトバー１４が形成されている。ノーズ部１５を被打込み材Ｐに押し付けることによりコンタクトアーム１３が相対的に上方に移動し、リンク部材１２をバネに抗して押し上げて可動スリーブ１１を上部壁１０に当るまで上方に移動させる。これにより燃焼室５内は大気と遮断され、図２のように密閉されるのである。逆に、コンタクトアーム１３とともに可動スリーブ１１を下方に移動させることにより燃焼室５の上部が大気に連通するように構成されている。
【００１７】
燃焼室５が密閉された後、起動用トリガ１７を引くと、点火プラグ１８が混合ガスに点火し、混合ガスは燃焼して爆発的に膨張する。この燃焼ガスの圧力が打撃ピストン７の上面に作用して下方に駆動するので、ドライバ８がノーズ部１５内に供給されている先頭釘１９を打撃し、被打込み材Ｐ中に打ち込む。その後、可動スリーブ１１は下動し、再び燃焼室５は開放される。
【００１８】
ところで、工具本体のグリップ２の基部には、上記トリガ１７を摺動自在にガイドするボックス状のガイド部２０が設けられている。ガイド部２０は下方と工具本体１側が開口した箱形に形成されている。図３に示されるように、ガイド部２０の上壁２０ａの一端には、上記トリガ１７を一方向に引き作動することにより押圧可能なトリガスイッチ２１（マイクロスイッチ）が配置されている。
【００１９】
トリガ１７は合成樹脂製で、上記トリガスイッチ２１に対向配置されたＪ字状のトリガレバー２２と、ブロック状に形成されたトリガ本体２３とに分割形成されている。
【００２０】
トリガ本体２３の下端には操作時に指を掛けるための指掛け部２４が形成されているとともに、バネ受け溝２５が形成され、バネ受け溝２５は指掛け部２４の反対側の上方に開口している。また、指掛け部２４の一端側にはバネ受け片２６が延長形成されている。そして、トリガ本体２３のバネ受け溝２５と上壁２０ａに形成されたバネ受け凹部２７とにバネ４０が取付けられ、このバネ４０によりトリガ本体２３は下方に付勢されている。
【００２１】
トリガレバー２２の上端には、突起２８が形成されている。突起２８は上記トリガスイッチ２１に対向するように配置されている。また、突起２８の下方にはバネ受け溝３０が形成され、下方に開口している。また、トリガレバー２２の下部にはアーム部３１が形成され、その下端には突軸３２が形成され、該突軸３２は工具本体１に回動自在に設けられたカムプレート３３の溝３５に係合している。
【００２２】
次に、トリガレバー２２とトリガ本体２３とは並列状態で連結バネ３６により連結されている。すなわち、連結バネ３６の一端はトリガレバー２２のバネ受け溝３０に配置され、他端はトリガ本体２３のバネ受け片２６に係合している。また、トリガ本体２３にはピン３７が形成され、このピン３７はトリガレバー２２の上部に形成された長孔３８に係合し、トリガ本体２３とトリガレバー２２とは、ピン３７が長孔３８を動ける範囲内で相対的に上下動できるようになっている。これにより、トリガ１７はトリガスイッチ２１に対して当接離反可能に配置されている。
【００２３】
したがって、上記トリガ本体２３に指を掛けて引き作動したときに、上記トリガレバー２２も上記連結バネ３６を介して連動する。トリガ１７は当接、離反時にトリガスイッチ２１をオンオフ作動できるようになっている。なお、トリガレバー２２とトリガ本体２３は、引き作動したとき、ガイド部の上壁２０ａに当接して停止する。
【００２４】
ところで、トリガ１７を引き作動したとき、上記トリガ本体２３の移動途中で上記トリガレバー２２がトリガスイッチ２１を押圧可能に構成されている。すなわち、トリガレバー２２の上面４１は、トリガ本体２３の上面４２よりも高く形成されている。つまり、トリガレバー２２の上面４１とガイド部上壁２０ａとの距離Ｌ１は、トリガ本体２３の上面４２とガイド部上壁２０ａとの距離Ｌ２よりも小さくなるように形成されている。このため、トリガレバー２２のストローク量はトリガ本体２３のストローク量よりも小さい。
【００２５】
上述の構成において、釘打ち込みにあたりトリガ本体２３に指を掛け、バネ４０に抗して上方に引き作動すると、連結用のバネがトリガレバー２２を押し上げるから、全体としてトリガは一体に移動する。そして、トリガレバー２２のストローク量はトリガ本体２３のストローク量よりも小さいから、図４に示されるように、トリガ本体２３の移動途中で、上記トリガレバー２２の上端の突起２８がガイド部２０の上壁２０ａ部に設けられたトリガスイッチ２１に接近し、スイッチング部材４３を押してスイッチオンさせる。その後、トリガ本体２３はさらに図５の位置まで移動する。したがって、トリガ本体２３をストロークエンドまで引き切る前にトリガスイッチ２１がオン作動させることができるから、マイクロスイッチを使用した場合でも、操作感がよくなり、操作性を向上させることができる。
【００２６】
上記トリガレバー２２のストローク量とトリガ本体２３のストローク量の差が大きければ大きいほど、トリガ本体２３の引き量が小さいうちにスイッチオンすることになるので、ストローク量の差を調整することによって最適な引き量を得ることができる。
【００２７】
なお、トリガ１７を引き作動すると、トリガレバー２２のアーム３１の下端突軸３２がカムプレート３３を回動させ、図２および図４に示されるように、カムプレート３３の上端が可動スリーブ１１と連結するロックアウトバー１４の下部に係合する。これにより、可動スリーブ１１はロックされ、燃焼時時に下方に移動することはない。また、釘打ち込み後にトリガ１７を解放すると、トリガ１７はバネ４０によって下方に移動するので、ロックは解除され、ロックアウトバー１４とともに可動スリーブ１１は下方に移動できるようになる。
【００２８】
ところで、上述のようにトリガ本体２３に指を掛けて引き上げるとき、トリガレバー２２にはカムプレート３３を回動させるアームが形成されているから、トリガ本体２３の方がトリガレバー２２よりも先に持ち上げられて傾く傾向があり、このため、特にトリガレバー２２とガイド部２０との間に強い摩擦が発生し、オンオフを繰り返してガイド部２０が摩耗してトリガ本体２３を正しく案内できなくなると、トリガ本体２３が図６のように反時計方向に傾き、その角部４４がガイド部２０の上壁２０ａに係合したときは、トリガ１７をストロークエンドまで引き切ることができず、トリガスイッチ２１をオンさせることができなくなる可能性が懸念される。
【００２９】
しかしながら、トリガ本体２３とトリガレバー２２とは別体構成であり、またトリガレバー２２のストローク量はトリガ本体２３のストローク量よりも小さく、またトリガレバー２２とトリガ本体２３とはバネ３６によって連結されている。したがって、トリガ本体２３が傾くようなことがあっても、トリガ本体２３のストローク量は長く、また連結バネ３６がトリガレバー２２を押し上げるから、トリガレバー２２の突起２８は確実にトリガスイッチ２１を押してオン作動させることができる。
【００３０】
上述の打込み工具のトリガのガイド機構は、ガス燃焼式の打ち込み工具だけでなく、電動式の打込み工具にも適用することができる。
【図面の簡単な説明】
【００３１】
【図１】ガス燃焼式釘打機の非作動時の要部を示す縦断面図である。
【図２】上記ガス燃焼式釘打機の作動時の一部の拡大断面図である。
【図３】本発明に係るトリガ機構の要部の拡大図である。
【図４】上記トリガ機構の作動態様説明図である。
【図５】上記トリガ機構においてトリガをストロークエンドまで引いた状態の説明図である。
【図６】トリガ本体が傾いた状態における作動態様説明図である。
【符号の説明】
【００３２】
２  グリップ
１７  トリガ
２０  ガイド部
２１  トリガスイッチ
２２  トリガレバー
２３  トリガ本体
３６  連結バネ
【図１】
2007083361.tif 000003
【図２】
2007083361.tif 000004
【図３】
2007083361.tif 000005
【図４】
2007083361.tif 000006
【図５】
2007083361.tif 000007
【図６】
2007083361.tif 000008